(57)【要約】【課題】搬送ベルトの交換を簡単にできるようにする。【解決手段】フレームの背面側に、テンションプーリ４ａ，４ｂ，４ｃを覆う背面カバー１７を、その一端部に設けた支軸２２をフレームに設けた軸受１４に開閉自在にかつ着脱自在に枢支し、背面カバー１７の他端部に、背面カバーを閉めた時にフレームに設けられた係止部１６に係止される被係止片２３，２４を設け、さらに、背面カバーの正面側にテンションプーリの一つ４ｃを、背面カバー１７を閉めた時に搬送ベルト５に押圧されるように設けた。【選択図】　　　図３
2004073743.tif 000002
【特許請求の範囲】
【請求項１】
フレームの下部と上部に設けられた駆動プーリと従動プーリに無端ベルトからなる搬送ベルトを中間のテンションプーリを介して巻回張設するとともに、前記フレームの下部に前記駆動プーリを回転させるモータを取付け、さらに、前記フレームに前記搬送ベルトの上昇面側に研磨布を近接して保持する扉を備えて、回収用搬送装置により搬送されてきたパチンコ玉を回転される前記搬送ベルトと前記研磨布とによって磨きながら揚上し、前記搬送ベルトの上端部から補給用上部タンクに向けて排出するパチンコ玉揚上装置において、
前記フレームの背面側に、前記テンションプーリを覆う背面カバーを、その一端部に設けた支軸により前記フレームに対して開閉自在にかつ着脱自在に枢支し、前記背面カバーの他端部側に、前記背面カバーを閉めた時に前記フレームに設けられた係止部に係止される被係止片を設け、さらに、前記背面カバーの正面側に前記テンションプーリの一つを、前記背面カバーを閉めた時に前記搬送ベルトに押圧されるように設けたことを特徴とするパチンコ玉揚上装置。
【請求項２】
背面カバーの支軸は、フレームの下部の背面側左右両側に設けられた切欠孔状の軸受に枢支され、フレームの係止部は、前記軸受の上方に設けられ、前記フレームの背面側から正面方向に上り傾斜するテーパを有する係止段部であり、背面カバーの被係止片は、背面カバーの上端部又はその付近の左右両側に設けられ、前記支軸を前記軸受に嵌合した状態で背面カバーを閉めた時に前記フレームの係止段部のテーパを乗り越え、かつ係止段部に係止されるものであることを特徴とする請求項１に記載されたパチンコ玉揚上装置。
【発明の詳細な説明】
【０００１】
【発明の属する技術分野】
本発明は、上下の駆動プーリと従動プーリとに巻回され、テンションプーリにより緊張状態に保持される搬送ベルトを用いるパチンコ玉揚上装置（以下、単に揚上装置という。）に関する。
【０００２】
【従来の技術】
一般に、揚上装置は、遊技機から外れ玉として排除され、回収用搬送装置により回収位置まで搬送されてきたパチンコ玉を回転される搬送ベルトと固定された研磨布により磨きながらリサイクル補給用の上部タンクまで揚送するために用いられるが、高さが２〜３ｍ程度のフレームの上下に設けられた駆動プーリと従動プーリに無端ベルトからなる前記搬送ベルトを巻回し、中間のテンションプーリにより前記搬送ベルトを張設し、フレームの下部に前記駆動プーリに回転力を与えるためのモータを取付け、さらに、フレームには搬送ベルトの上昇面側に研磨布を保持し、かつ、その研磨布にパチンコ玉を一列ずつ案内するための溝を形成するレール体を取付けた扉を、研磨布の交換のために開閉自在に取付けて、構成されている。
【０００３】
ところで、搬送ベルトは上述のように、駆動プーリ、従動プーリ及びテンションプーリに巻回される。そして、従来の揚上装置では、これらのプーリの軸は、フレームを構成する左右の支持板に支持されており、搬送ベルトの取付け時又は交換時に各プーリの軸の一端側を開放するために、左右いずれか一方の支持板を取外し可能に組み付けている。また、テンションプーリの少なくとも一つは、搬送ベルトを緊張させるために、軸に直角な方向に移動自在に支持され、かつ、搬送ベルト方向に付勢されている必要があるため、この被付勢テンションプーリは、付勢部材とともに背面板に備えられ、その背面板は、フレームにねじ止めなどにより、着脱自在に取付けられていた。
【０００４】
【発明が解決しようとする課題】
従って、搬送ベルトの取付け時又は交換時は、背面板の取付け・取り外し、及び一方の支持板の取付け・取り外しを行う必要があり、搬送ベルトの取付け・交換作業に手間隙がかかるという問題があった。
【０００５】
本発明は、上記の点に鑑みてなされたものであり、その課題は、とくに背面板のワンタッチ装着及び取外し可能にして、搬送ベルトの交換を簡単にできるようにすることにある。
【０００６】
【課題を解決するための手段】
上記課題を解決するため、本発明は、フレームの下部と上部に設けられた駆動プーリと従動プーリに無端ベルトからなる搬送ベルトを中間のテンションプーリを介して巻回張設するとともに、前記フレームの下部に前記駆動プーリを回転させるモータを取付け、さらに、前記フレームに前記搬送ベルトの上昇面側に研磨布を近接して保持する扉を備えて、回収用搬送装置により搬送されてきたパチンコ玉を回転される前記搬送ベルトと前記研磨布とによって磨きながら揚上し、前記搬送ベルトの上端部から補給用上部タンクに向けて排出するパチンコ玉揚上装置において、前記フレームの背面側に、前記テンションプーリを覆う背面カバーを、その一端部に設けた支軸により前記フレームに対して開閉自在にかつ着脱自在に枢支し、前記背面カバーの他端部側に、前記背面カバーを閉めた時に前記フレームに設けられた係止部に係止される被係止片を設け、さらに、前記背面カバーの正面側に前記テンションプーリの一つを、前記背面カバーを閉めた時に前記搬送ベルトに押圧されるように設けたことを特徴としている。
上記構成により、背面カバーは、その一端部の支軸をフレームの軸受に嵌合枢支し、背面カバーの他端部側をフレーム側に押して閉めると、被係止片が係止部に係止されて固定される。背面カバーの押し付けによりテンションプーリが搬送ベルトに押し付けられ、搬送ベルトを緊張させる。被係止片の係止を解くと、背面カバーはテンションプーリとともにフレームから取り除くことができる。従って、フレームの一方の側板を取り外すだけで、搬送ベルトの取り外し及び再取り付けが可能である。
【０００７】
背面カバーの支軸は、フレームの下部の背面側左右両側に設けられた切欠孔状の軸受に枢支され、フレームの係止部は、前記軸受の上方に設けられ、前記フレームの背面側から正面方向に上り傾斜するテーパを有する係止段部であり、背面カバーの被係止片は、背面カバーの上端部又はその付近の左右両側に設けられ、前記支軸を前記軸受に嵌合した状態で背面カバーを閉めた時に前記フレームの係止段部のテーパを乗り越え、かつ係止段部に係止されるように構成することが望ましい。
上記構成により、背面カバーは、支軸をフレームの軸受に嵌合し、背面カバーの上部をフレーム側に押して閉めると、被係止片が係止段部のテーパ面を乗り越え、段部に係止されて固定される。背面カバーの押し付けによりテンションプーリが搬送ベルトに押し付けられ、搬送ベルトを緊張させる。背面カバーの上部を持ち上げるだけで、被係止片の係止を解くことができ、その背面カバーを手前側に引くだけで、背面カバーとテンションプーリを取り外すことができる。従って、搬送ベルトの取り外し及び再取り付けが簡単にできる。
【０００８】
【発明の実施の形態】
次に、本発明の実施の形態について、添付図面を参照して説明する。
図１は本発明に係る揚上装置の正面図、図２は同じく側面図、図３は図１のＸ−Ｘ線断面図、図４は背面カバーを取出して示す斜視図である。
【０００９】
図１，２において、Ａは揚上装置であり、フレーム１の下部に設けられた駆動プーリ２とフレーム１の上部に設けられた従動プーリ３の間に中間のテンションプーリ４ａ〜４ｃを介して無端ベルトからなる搬送ベルト５を巻回してを張設し、駆動プーリ２の軸上に固着したプーリ６と、フレーム１の下部に設けられたモータ７の回転軸上に固着したプーリ８の間に伝動ベルト９を巻回して、駆動プーリ２に回転力を与えるための駆動手段を備え、フレーム１の正面側、すなわち、搬送ベルト５の上昇面側に研磨布（不図示）を保持し、かつ、その研磨布にパチンコ玉を一列ずつ案内するための溝を形成するレール体（不図示）を取付けた扉１０を開閉自在に取付けて構成されており、フレーム１の下部には、各遊戯台の下方を回収用搬送装置により搬送されてくるパチンコ玉を受入れて、回転される搬送ベルトの下端部と研磨布の間に流し込む回収箱１１が設けられ、また、フレーム１の上部には、回転される搬送ベルトの上端部と研磨布との間から排出されるパチンコ玉を補給用上部タンク（不図示）に向けて放出するシュート１２が設けられている。
【００１０】
フレーム１の下部には、揚上装置を正面から見た場合の左側面を覆う可動側板１Ａが、搬送ベルトの取付け取り外しのために、ねじ止めにより着脱自在に取付けられており、その可動側板１Ａには、駆動プーリ２の支軸と、上側２個のテンションプーリ４ａ，４ｂの支軸の一端部を回転自在に、かつ、着脱自在に支持する軸受（不図示）が設けられている。
これに対し、反対側の右側面を覆う固定側板１Ｂは、フレーム１に一体的に接続され、駆動プーリ２及び上側２個のテンションプーリ４ａ，４ｂの支軸の他端部を回転自在に保持する軸受（不図示）が設けられている。可動側板１Ａを取り外した場合は、駆動プーリ２及びテンションプーリ４ａ，４ｂの他端部が固定側板１Ｂにより片持ち状に支持される。従って、これらに巻回されている搬送ベルト５を可動側板１Ａを取り外した側に引いて取り外すことができるようになっている。
【００１１】
図３において、１３は、固定側板１Ｂの内面に駆動プーリ２の近傍に設けられた軸受部材であり、背面方向に開口する切欠孔で構成された軸受１４を有する。可動側板１Ａの内面にも、同様の軸受部材が設けられている。また、図３において、１５は固定側板１Ｂの内面に軸受部材１３の上方に設けられた係止部材であり、その上端部の背面側に正面方向に上り傾斜するテーパ１６ａを有する係止段部１６が形成されている。可動側板１Ａの内面にも、同様の係止部材が設けられている。
【００１２】
さらに、図３において、１７は、フレーム１の下部の背面をテンションプーリ４ａの背面から駆動プーリ２の背面の近傍までを覆う背面カバーであり、図４に示すように、左右両側のく字形の側面板１８，１９と、その側面板の上端縁の間を連続する上面板２０と、側板の一端縁の間を連続する背面板２１とを一体に有している。そして、側面板１８，１９の下端部に側面板１８，１９の外か世話まで延出する支軸２２が設けられ、その支軸の上方において、側面板の間にテンションプーリ４ｃが回転自在に支持されている。
背面カバー１７の上端部付近には、左右両側において正面方向に突出する被係止片２３，２４が設けられている。両被係止片は、その下面が係止段部のテーパ１６ａと同様に正面方向に上り傾斜されている。
【００１３】
上記構成を有する背面カバー１７は、フレーム１に対して、次のようにして着脱自在に保持される。すなわち、フレーム１の可動側板１Ａが取り付けられた状態で、支軸２２の両端部を左右の軸受１４に回転自在に嵌合し、その背面カバー１７の上部を持上げて正面方向に回動すると、被係止片２３，２４が係止部材１５に到達する前に、テンションプーリ４ｃの外周面が搬送ベルト５に当接する。背面カバー１７の上部をさらに押し込むと、左右の被係止片２３，２４の先端部が係止部材１５の係止段部１６のテーパ１６ａに当接する。背面カバー１７の上部をさらに押し込むと、被係止片２３，２４は係止段部のテーパ１６ａを乗り越え、そのテーパから外れて、係止段部１６に陥落して係止される。この係止により背面カバーは容易に外れなくなる。そして、この段階で、テンションプーリ４ｃが最も強く搬送ベルト５を押してこれに所望の緊張状態が得られる。
【００１４】
上記のように、背面カバー１７は、単に支軸２２を切欠孔状の軸受１４に嵌合支持し、上部を係止段部１６に向けて押し込むだけで、背面カバー１７が取付けられると同時にテンションプーリ４ａの装着も行われる。背面カバーとテンショプーリのワンタッチ装着が実現される。
【００１５】
従って、搬送ベルト５のメンテナンスや交換時は、背面カバー１７を上方に引上げて被係止片２３，２４の係止を解除すれば、背面カバー及びテンションプーリの取外しが容易にでき、その後は可動側板１Ａを従来と同様に取り外すだけで容易に搬送ベルトの取り外し又は交換ができる。
【００１６】
上述された軸受部材１３及び係止部材１５のフレーム１に対する取付け構造は、単なる一例であり、可動側板１Ａ及び固定側板１Ｂに対する取付けに限らない。また、軸受部材及び係止部材の形状も、図示のものに限らない。
【００１７】
【発明の効果】
上述のように、本発明によれば、背面カバーのワンタッチ装着及び取外し可能であり、従来と異なり、装着及び取外す部品数が削減され、搬送ベルトの交換などの作業能率が格段に向上する。
【図面の簡単な説明】
【図１】本発明に係る揚上装置の正面図。
【図２】同じく側面図。
【図３】図１のＸ−Ｘ線断面図。
【図４】図３の背面カバーを取出して示す斜視図。
【符号の説明】
１　　　　揚上装置のフレーム
１Ａ　　　可動側板
１ｂ　　　固定側板
２　　　　駆動プーリ
４ａ，４ｂ，４ｃ　　　テンションプーリ
５　　　　搬送ベルト
１４　　　軸受
１６　　　係止段部
１６ａ　　テーパ
１７　　　背面カバー
２２　　　支軸
２３，２４　　被係止片
【図１】
2004073743.tif 000003
【図２】
2004073743.tif 000004
【図３】
2004073743.tif 000005
【図４】
2004073743.tif 000006